(57)【要約】【課題】鏡付きの経口製品用容器を提供する。【解決手段】経口製品用容器は、ａ）内部に収容された清涼用の複数個の清涼剤と、ｂ）容姿を整えるための鏡とを含む。【選択図】図１８
2007508865.tif 000002
【特許請求の範囲】
【請求項１】
経口製品用容器であって、
ａ）内部に収容された清涼用の複数個の清涼剤と、
ｂ）容姿を整えるための鏡と
を含むことを特徴とする経口製品用容器。
【請求項２】
前記鏡は、前記容器を閉じた際に該容器の内側に位置するものとなされていることを特徴とする、請求項１に記載の容器。
【請求項３】
前記鏡は、前記容器を閉じた際に該容器の外側に位置するものとなされていることを特徴とする、請求項１に記載の容器。
【請求項４】
前記清涼剤は、ペパーミント、スペアミント、他のミント風味、ウィンターグリーン、シナモン、リコリス、シトロン風味、酸味、及びハーブあるいはスパイス風味のうちの少なくとも１つの風味を有することを特徴とする、請求項１に記載の容器。
【請求項５】
請求項１に記載の容器を配送する方法であって、
ａ）包装用箱に複数個の前記容器を詰め込み、
ｂ）前記詰め込まれた包装用箱を小売店へ搬送する
ことを含むことを特徴とする方法。
【請求項６】
個人をリフレッシュさせる方法であって、
ａ）内部に複数個の清涼剤が収容されると共に鏡を備えた容器を前記個人に提供し、
ｂ）前記個人に清涼のために少なくとも１つの前記清涼剤を前記個人の口に投入させ、そして
ｃ）容姿を整える目的で前記個人に自分自身を前記鏡に写させること
を含むことを特徴とする方法。
【請求項７】
前記容姿を整える目的には、前記個人の顔を整える必要があるかどうかを決定することを含むことを特徴とする、請求項６に記載の方法。
【請求項８】
前記容姿を整える目的には、化粧品あるいは化粧道具で前記個人の顔を整えることを含むことを特徴とする、請求項６に記載の方法。
【請求項９】
経口製品用容器であって、
ａ）内部に収容された清涼用の複数個の清涼剤と、
ｂ）容姿を整えるための鏡と、
ｃ）外部環境因子から前記鏡を保護する鏡カバーとを含み、
ｄ）前記鏡は、内部に収容された前記経口製品から離れるように前記容器の内部から隔離されている
ことを特徴とする経口製品用容器。
【請求項１０】
経口製品用容器であって、
ａ）容器本体と、
ｂ）前記容器本体に横方向にスライドする蓋と、
ｃ）前記横方向にスライドする蓋の下方に配置された鏡と
を備えていることを特徴とする経口製品用容器。
【請求項１１】
前記容器は、前記蓋を横方向に動作させることによって前記鏡及び経口製品取出開口部の双方を露出させるように構成されていることを特徴とする、請求項１０に記載の経口製品容器。
【請求項１２】
前記経口製品取出開口部は、前記鏡を備えた共通の壁に形成されていることを特徴とする、請求項１１に記載の経口製品用容器。
【請求項１３】
前記経口製品取出開口部は、前記鏡を備えた共通の壁に形成されていることを特徴とする、請求項１０に記載の経口製品用容器。
【請求項１４】
前記共通の壁は、前記蓋と実質的にほぼ平行な平面にあることを特徴とする、請求項１３に記載の経口製品用容器。
【請求項１５】
個人的なメークアップやメークオーバーのトリートメントを向上させるための方法であって、
ａ）内部に複数個のミントが収容されると共に、個人が個人的なメークアップやメークオーバーを行うことを可能にするように構成された鏡を備えた容器を提供すること、
ｂ）前記容器内の前記ミントを食べるように前記個人に勧めること、及び
ｃ）前記容器内の前記鏡を使ってメークアップやメークオーバーのトリートメントを行うように個人に勧めること
を含む方法。
【請求項１６】
更に、前記容器内の前記鏡を使用して個人的なメークアップやメークオーバーのトリートンメントを行いながら前記容器内のミントを食べるように個人に勧めることを含むことを特徴とする、請求項１５に記載の方法。
【請求項１７】
経口製品用容器であって、
ａ）清涼のための、内部に収容された複数個の清涼剤と、
ｂ）容姿を整えるための鏡と、
ｃ）前記鏡に対して動くように前記容器に取り付けられた、前記鏡を覆う蓋と
を備えていることを特徴とする経口製品用容器。
【請求項１８】
前記容器は、一度に複数個の清涼剤を取り出すように構成された取出開口部を備えていることを特徴とする、請求項１７に記載の容器。
【請求項１９】
前記容器は、前記清涼剤の大きさの約１０倍未満の面積を有するように構成された取出開口部を備えていることを特徴とする、請求項１７に記載の容器。
【請求項２０】
前記容器は、前記清涼剤の大きさの約５倍未満の面積を有するように構成された取出開口部を備えていることを特徴とする請求項１７に記載の容器。
【請求項２１】
前記鏡は、前記容器内のインサート上に支持されていることを特徴とする、請求項１７に記載の容器。
【請求項２２】
前記鏡は、前記容器の外壁ではない前記容器内の壁に支持されていることを特徴とする、請求項１７に記載の容器。
【請求項２３】
前記鏡は、前記容器内のインサートに支持されていることを特徴とする請求項２２に記載の容器。
【請求項２４】
前記鏡は、前記蓋を閉じた状態において、前記蓋の下に位置するようになされていることを特徴とする、請求項２２に記載の容器。
【請求項２５】
前記蓋は、前記鏡及び取出開口部の双方を塞ぐ状態と、前記鏡及び前記取出開口部の双方を露出させる状態との間で動くように構成されていることを特徴とする、請求項２４に記載の容器。
【請求項２６】
経口製品用容器であって、
ａ）内部に収容された清涼用の複数個の清涼剤と、
ｂ）容姿を整えるのための鏡と、
ｃ）閉じた状態で前記鏡を覆うと共に開いた状態で前記鏡を露出させるようになされた蓋と、
ｄ）前記容器に形成された製品取出開口部とを有し、
前記鏡は、前記製品取出開口部に対して相対移動しないように固定的に位置決めされている、
ことを特徴とする経口製品用容器。
【請求項２７】
経口製品用容器アセンブリであって、
ａ）内部に収容された清涼用の複数個の清涼剤と、
ｂ）容姿を整えるのための鏡と、
ｃ）閉じた状態で前記鏡を覆い、開いた状態で前記鏡を露出させるようになされた蓋と、
ｄ）前記容器が閉じている間に前記容器内の鏡を消費者が認識しやすくするための鏡表示部材と、
を備えている
ことを特徴とする経口製品用容器アセンブリ。
【請求項２８】
前記鏡表示部材は、消費者が前記鏡の少なくとも一部分を視覚的に観察できるよう貫通孔あるいは透明な窓を備えていることを特徴とする、請求項２７に記載の容器アセンブリ。
【請求項２９】
前記鏡表示部材は、前記容器の外面に位置するほぼ反射的部材を備えていることを特徴とする、請求項２７に記載の容器アセンブリ。
【請求項３０】
更に、前記反射的部材に隣接配置され、前記容器内の鏡の存在を示唆する前記容器上の印を有することを特徴とする、請求項２９に記載の容器アセンブリ。
【請求項３１】
前記鏡表示部材は、類似した鏡が露出した展開状態でサンプル容器が展示されるサンプルサポートを備えていることを特徴とする、請求項２７に記載の容器アセンブリ。
【請求項３２】
前記アセンブリは、複数の容器を保持するラックを備え、かつ前記サンプル容器が前記ラックに前記サンプルサポートを介して取り付けられている、請求項２７に記載の容器のアセンブリ。
【請求項３３】
前記サンプルサポートは、輸送の際に下方に旋回するように前記ラックに枢着されている、請求項３２に記載の容器アセンブリ。
【請求項３４】
経口製品用容器アセンブリであって、
ａ）内部に収容された清涼用の複数個の清涼剤と、
ｂ）容姿を整えるのための鏡と、
ｃ）閉じた状態で前記鏡を覆うと共に開いた状態で前記鏡を露出させるようになされた蓋と、
ｄ）前記容器は、約３/８インチ（約０．９４センチ）ないし約５/８インチ（約１．５６センチ）の高さ、約１・１/８インチ（約２．８１センチ）ないし約１・１/２インチ（約３．７５センチ）の幅、及び約３インチ（約７．５センチ）ないし約３・１/４インチ（約８．１３センチ）の長さを含む寸法に相当するサイズを有する、ことを特徴とする経口製品用容器アセンブリ。
【請求項３５】
前記鏡は、約２・1/8インチ（約５．３１センチ）ないし約
２・3/8インチ（約５．９４センチ）の幅、及び約７/８インチ（約２．１９センチ）ないし約１・1/8インチ（約２．８１センチ）の幅の寸法に相当するサイズを有することを特徴とする、請求項３４に記載の経口製品用容器アセンブリ。
【請求項３６】
経口製品用容器アセンブリであって、
ａ）内部に収容された清涼用の複数個の清涼剤と、
ｂ）容姿を整えるのための鏡と、
ｃ）閉じた状態で前記鏡を覆うと共に開いた状態で前記鏡を露出させるようになされた蓋と、
ｄ）前記容器の高さは前記容器の幅の１/２未満であり、前記容器の幅は前記容器の長さの１/２未満であることを特徴とする、経口製品用容器アセンブリ。
【請求項３７】
前記経口製品用容器アセンブリは、図１０ないし図１８に示されたものに実質的に比例する高さ、幅、及び長さを有するように設定されていることを特徴とする、請求項３６に記載の経口製品用容器アセンブリ。
【発明の詳細な説明】
【技術分野】
【０００１】
この発明は、経口製品用の容器に関するものであり、幾つかの好ましい実施形態はミント等の清涼剤(breath fresheners)用の容器に関するものである。
【背景技術】
【０００２】
現代文化における状況では、人は、外見や臭い等の個人的なイメージアップを求めるものである。例えば、ａ）デートやロマンチックな出会いを準備するため、ｂ）１人あるいは複数の人に良い印象を与えるため、ｃ）自信を高めるため、あるいはｄ）様々な目標を達成するために、様々な理由で個人的なイメージアップを図ろうとする。
【０００３】
清涼(Breath
Freshening)
【０００４】
現代文化においては、例えば口内清浄度や口の臭い等の口の清潔感を高めるための清涼剤の使用が広く受け入れられるようになった。例えば、ミント風味の清涼剤、シナモン風味の清涼剤、（レモン、ライム、又はオレンジ等の）フルーツ風味の清涼剤等の各種清涼用菓子、キャンディ等、多種多様な清涼剤が市場に出ている。現存する清涼剤としては、例えば、アルトイド（商品名：ALTOIDS）, チックタック（商品名：TIC TAC）、バークレイズ（商品名：BARKLEYS）および他の各種清涼用商品がある。
【０００５】
容姿を整える(Visage Freshening)
【０００６】
現代文化においては、容姿又は顔をきれいにするための品物を使用することは、それほど広く受け入れられていない。例えば、容姿を整える（例えばメークアップする等）のための（小さい鏡及びメークアップ品等が入った）コンパクトを持ち歩くことがある。
【０００７】
しかしながら、人は他人の前で気軽に清涼剤を使用しながらも、他人の前でコンパクトを使用することを気にする。何よりも、化粧品、メークアップ用具および／又は容姿を整える用具等を使用することは、例えば虚栄心を見せる等のマイナスのイメージがある。その結果、（例えば容姿を整える必要があるかどうかを確かめたり、容姿を整えるために）自分の姿を鏡で見るには、例えば化粧室等のプライバシーのある場所へ席を外さなければならない。コンパクトを持っていても、ほとんどの場合、人前では使用しない。例えば、ロマンチックな状況では、女性はパートナーの前で顔のメークアップをチェックするのを気にする。何よりも、例えば虚栄心やパートナーに対する関心度等を不慮に示唆する等、虚栄心や容姿を整えることを気にしているのを表すことを女性は求めない。
【発明の開示】
【発明が解決しようとする課題】
【０００８】
上述した問題および／又は他の問題を克服する商品が必要とされている。
【０００９】
この発明の好ましい実施形態は、上述した及び／又は関連技術における他の問題に鑑みてなされたものである。幾つかの実施形態においては、容姿を整えることに関する上述した及び／又は他の問題の１あるいはそれ以上が克服される。その上、幾つかの好ましい実施形態では、独特の機能性及び芸術性を備えた非常に独特な清涼品用容器製品を提供することができる。
【課題を解決するための手段】
【００１０】
幾つかの図示実施形態によると、経口製品用容器は、ａ）内部に収容された清涼用の複数個の清涼剤と、ｂ）容姿を整えるための鏡とを含んでいる。幾つかの実施形態においては、前記鏡は、前記容器を閉じた際に該容器の内側に位置するものとなされても良い。また、幾つかの実施形態においては、前記鏡は、前記容器を閉じた際に該容器の外側に位置するものとなされても良い。
幾つかの図示実施形態においては、前記清涼剤は、ペパーミント、スペアミント、他のミント風味、ウィンターグリーン、シナモン、リコリス、シトロン風味、酸味、及びハーブあるいはスパイス風味のうちの少なくとも１つの風味を含む。
【００１１】
幾つかの図示実施形態によると、前記容器を配送する方法は、例えば、複数個の前記容器を包装容器に詰めること、及び（例えば、消費者に直売する等のために）詰められた包装容器を小売店センターに運送することである。
【００１２】
幾つかの図示実施形態によると、人をリフレッシュさせる方法は、例えば、内部に複数個の清涼剤が収容されると共に鏡を備えた容器を人に提供し、その人に清涼のために少なくとも１の前記清涼剤を前記個人の口に投入させ、そして容姿を整える目的でその人に自分自身を前記鏡に写させることを含む。容姿を整える目的には、その人の顔を整える必要があるかどうかを決定することや、化粧品あるいは化粧道具でその人の顔を整えることを含みうる。
【００１３】
各種実施形態の前記又は他の側面、特徴又は利点は、添付図面と併せて下記の記述を考慮すると、より良く理解できる。各種実施形態においては、適切な場合、異なった側面、特徴又は利点を含むものであってもよいしまた除外しても良い。また、各種実施形態においては、適切な場合、他の実施形態の１あるいはそれ以上の側面、特徴及び／又は利点を組み合わせてもよい。特定の実施形態の側面、特徴及び／又は利点の記述は、他の実施形態あるいは請求項を制限するものと解釈されるべきではない。
【発明を実施するための最良の形態】
【００１４】
以下、本発明の幾つかの好ましい実施形態について説明する。この開示において、以下の説明は、例示的なものであって制限的なものではなく、かつ様々な改良、修正、変更等が本発明の様々な実施形態に適用されるものであると理解されなければならない。また、様々な実施形態の様々な部材は、この開示から理解されるように（現在知られている均等物及び/又は将来知られ得る均等物をも含む）均等な構造と置き換えることができる。
【００１５】
図示実施形態
【００１６】
図１ないし図９は、本発明の幾つかの実施形態を示すものである。（例えば図１ないし図９に示される実施形態の好ましい実施等における）幾つかの好ましい実施形態において、ａ）清涼のための（breath freshening purpose）複数個の清涼剤(breath freshener)、及びｂ）容姿を整えるのための鏡を含む経口製品用の容器が提供される。様々な実施形態が示されているが、その開示に基づいてそれら実施形態は大きく異なってもよくかつこれらは単なる好ましい実施例であると理解されなければならない。
【００１７】
好ましい実施形態において、この容器は、清涼の目的で１つあるいははそれ以上の清涼剤を口から摂取しかつ/又は容姿を整えるために視覚的に自分自身を見るために使用されるものである。この開示では、容姿を整えるという用語の意味は、とりわけ、容姿を整える必要があるかどうかを見極めるために見ること、および例えば化粧品あるいは化粧道具を用いて容姿を整えること（例えば、ほお紅アプリケーターを使ってほお紅をつける、マスカラ・アプリケーターを使ってマスカラをつける、口紅を使って口紅を塗る、メークアップ落し［例えばティッシュ及び/又は同様のものを含む］を使ってメークアップを落とすこと等）を含む。
【００１８】
図１は、ヒンジで接続された上部半体と下部半体からなる容器の実施例を示す。例えば図１等に示されているように閉じた状態で、これら両半体はその内部に経口製品を収容することができる囲いを形成する。
【００１９】
幾つかの好ましい実施形態においては、鏡を上部半体の内面に取り付けても良い。上部半体を下部半体から離れるように開けると、鏡が見える。このように、前記鏡を、使用者と一緒にいる人からある程度隠すことができる。従って、使用者は、例えば、清涼剤を単に取り出すために容器を単に開けたように見せかけながら、自分自身を素早く見ることができる。
【００２０】
幾つかの好ましい実施形態においては、鏡を、上部半体の外面に代替的にあるいは追加的に設けても良い。このようにすると、使用者は、とりわけ、容器中の経口製品にかまわずに簡単に鏡を使用することができる（例えば、使用者は、経口製品がしっかりと容器に入ったまま簡単に鏡を使用することができる）。
【００２１】
幾つかの好ましい実施形態において、鏡を下部半体の内面及び/又は外面に代替的にあるいは追加的に設けても良い。また、好ましい実施形態においては鏡は容器のより大きい側面に形成されるが、幾つかの実施形態においては、鏡を容器の狭い側面（例えば、容器の内面及び/又は外面、しかし好ましくは容器の外面）に代替的にあるいは追加的に設けても良い。
【００２２】
図２は、開閉可能とするために互いに横方向にスライドできるようになされた上部及び下部からなる容器の別の実施形態を示す。この実施形態において、前述の通り、鏡を上部及び/又は下部の内面及び/又は外面、およびその大きい側面及び/又は狭い側面に形成しても良い。
【００２３】
図３は、容器の一部分にヒンジ連結カバーが形成された別の実施形態を示す。とりわけ、この容器は、例えば、経口製品が確実に入ったままの状態で内部の鏡を見るための容器の開閉を容易にする。この実施形態の好ましい実施例では、鏡をヒンジ連結カバーの内部に形成してもよい。しかしながら、他の実施形態においては、鏡を、容器の他の部分に代替的にあるいは追加的に設けてもよい。
【００２４】
図４は、鏡が別の鏡カバーの底面に設けられた実施形態を示す。例えば、図４等に示されるような幾つかの実施形態においては、その別個の鏡カバーは、容器に対してヒンジ結合され得る。幾つかのそのような実施形態において、鏡は、ヒンジで付けられているカバーの下のどちらの表面に形成されても良い。この実施形態においては、鏡は、外部の環境要因から保護され（例えばカバーの下）、かつ容器の内部から分離することができる（例えば、内部の経口製品から分離すること）。
【００２５】
図５は、ほぼ円形のより大きい側面（例えば、ほぼ円形、楕円、あるいは他の丸い形）を有する容器の別の実施形態を示す。様々な容器の形を適用できかつ図示実施形態は単に説明的なものであると理解されなければならない。しかしながら、最も好ましい実施形態は、容器は大きな側面と狭い側面を有するものである。この場合、図８に示されるように、容器は、最も好ましくは、例えば使用者のポケット内等（例えば、例示されているズボンの後ろポケット等）の保管位置にスライドさせて容易に入れることができる。
【００２６】
幾つかの実施形態において、容器の大きい側面の最大直径を約１インチ（約２．５センチ）ないし約６インチ（約１５センチ）とすることができる。別の幾つかの実施形態においては、容器の大きい側面の最大直径を約２インチ（約５センチ）ないし約５インチ（約１２．５センチ）とすることができる。他の幾つかの実施形態において、容器の大きい側面の最大直径を、約３インチ（約７．５センチ）ないし約４インチ（約１０センチ）とすることができる。幾つかの実施形態において、容器の狭い側面の最大幅を、約１/４インチ（約６．２５ミリ）ないし約１インチ（約２．５センチ）とすることができる。別の幾つかの実施形態において、容器の狭い側面の最大幅を、約１/３インチ（約８．３３ミリ）ないし約２/３インチ（約１．６７センチ）とすることができる。図示していないが、幾つかの実施形態においては、容器の一又はそれ以上の大きい側面を、図８に示されるように、ズボンのポケットに入れられた場合、使用者の尻に一致するように曲成された形状あるいは湾曲状にしても良い。
【００２７】
図５に示す図示の実施例においても、容器の外面が反射面に形成されあるいは外面に鏡が設けられている。この開示に基づいて、鏡を容器の内部に代替的にあるいは追加的に設けても良い。
【００２８】
図６は、鏡を容器に形成する方法を図示するものである。実施例Ａは、鏡が（例えば、適用された鏡ステッカーを用いて、鏡部材を付着させるのりあるいは粘着剤を用いて、磁性部材を用いて、［例えばびょう、ねじ、及び/又は他の作用等の］機械的アッタチメント等を使って）容器壁に取り付けられた材料を含む幾つかの場合を図示するものである。実施例Ｂは、（例えば、高度に磨かれた金属の表面、化学処理された表面及び/又は同様のもの等のように）容器壁に鏡が一体的に形成された幾つかの場合を図示するものである。
【００２９】
図７は、容器が鏡のスタンドとなるオープン・ポジションを取ることができる幾つかの実施形態を図示するものである。（この開示から明らかなように）容器は、様々な別の形状で鏡のスタンドとなるが、この実施形態において、この容器は、容器の上部半体に内側鏡を有する。この容器は、枢軸を支点として開けた時、図７に示されるように、ほぼＡ枠構造あるいは逆Ｖ構造の完全なオープン・ポジションに設定することができる。好ましくは、容器は（例えば、上側部分と下側部分とにスナップ式の係合部を備えるなどして）開けた時及び/又は閉じた時にロック可能な構造とする。
【００３０】
また、図７は、二つの実施例を示している。すなわち、実施例Ａは、容器の下側部分が完全に開口した開口状態の容器を示す一方、実施例Ｂは、容器の下側部分が部分的に開口した状態の開口状態の容器を示している。とりわけ、実施例Ｂは、（実施例Ｂに破線で示すように）清涼剤を容器の中に確実に保持した状態で、オープン・ポジションで容器を容易に使用することができる。
【００３１】
幾つかの好ましい実施形態においては、容器は、例えば錫、アルミ二ウム、ステンレス鋼、鉄、銅、及び/又は他の金属等の金属で構成しても良い。幾つかの好ましい実施形態においては、容器は、例えば各種プラスチック等の天然及び/又は合成樹脂で構成しても良い。幾つかの好ましい実施形態においては、容器は、紙、ダンボール、木材及び/又はそのような材料で構成しても良い。幾つかの好ましい実施形態においては、容器は、プラスチック包装及び/又は例えばアルミホイル等の別の包装材で覆っても良い。とりわけ、そのような包装は、容器の内容物を保護し、かつ/又は容器自体を保護することができる。このような包装は、例えば、容器を清涼剤を使用しかつ/又は容姿を整えるために使用する最終消費者によって取り除かれる、手で取り外し可能なものとすることができる。幾つかの実施形態においては、複数個の容器は、消費者に大量販売するために（例えば、２、４、６、１２個の組み合わせ等のようにして）一緒に包装しても良い。
【００３２】
鏡
【００３３】
様々な実施形態において、鏡には多数の構造を採用しうる。例えば、幾つかの実施形態においては、以下の１又はそれ以上の形式の鏡（すなわち反射面）を採用することができる。
１．例えば、一般的な家庭用の鏡等のミラー・コーティングのある鏡（例えば、金属アンダーコート等）、
２．ミラー・コーティングのあるポリマー材料、
３．例えば、アルミ二ウム、クロム、及び/又は表面の反射率が高い別の金属（例えば、磨かれた表面、及び/又は表面の仕上がりなだらかでかつ反射的なもの及び/又は同様のもの）。
【００３４】
好ましい実施形態において、鏡は、顔から約6インチ（約１５センチ）ないし約１フット（約３０．５センチ）、あるいは約１フット（約３０．５センチ）ないし約２フィート（約６１センチ）の範囲に鏡を保持しあるいは配置でき、かつ大幅なゆがみなしで顔の詳細を視認することができるのに十分な反射率を有する。好ましい実施形態においては、使用者が通常のメークアップ品を使って容姿を整えのに十分な反射率を有する。
【００３５】
幾つかの好ましい実施形態において、鏡は、以下の１あるいはそれ以上の性質を有するもので構成されている。即ち、ａ）壊れにくい、あるいは実質的に壊れにくい材料、ｂ）飛散防止又は実質的に飛散防止材料、ｃ）食品の包装に用いられる適切な毒性のない材料、及び/又は、ｄ）食品包装に用いられる他の適切な材料である。
【００３６】
幾つかの好ましい実施形態において、鏡は、以下の文書（これら文書はそれらの内容がそっくりそのままレファレンスとしてここに組み込まれ、また前述の仮出願に含まれている）に開示された鏡の１あるいはそれ以上の特徴を採用しても良い。
１．http://ultralight-sports.com/mirror.html（例えば、コーティング紙を滑らかにするためにラミネートされた上等な反射プラスチック・フィルムからなる鏡などを含む）、
２．http://e-sci.com/genSci/RENDER/7/1035/1080/9982.html（例えば、表面の反射用にアルミ二ウムコーティングしたアクリル系基板を備えた鏡を含む）、
３．http://goodturn.biz/mirrors.html
４．http://csmirrors.co.uk/index.php?pageID=acrylic（例えば、アクリル系の鏡を含む）、
５．http://csmirrors.co.uk/index.php?pageID=stainlesssteel （例えば、ステンレス鋼鏡を含む）、
６．http://www.alsocorp.com/Laminates.html（例えば、「ジー・イ  エイチ・ピイ９２エイチ  レキサン（商標：GE HP92H LEXAN）フィルムに基づいた装飾的な製品であるクロムエフエックス（ChromeFX）シート、及びレキサン（商標：LEXAN）フィルムで保護されかつ粘着性システムによって支えられている分子金属クロムフィルム」。）
【００３７】
経口製品
【００３８】
様々な実施形態において、大量の異なった経口製品を容器中に収容しても良い。幾つかの実施形態において、経口製品として、例えば清涼剤を挙げることができる。例えば、そのような経口清涼剤は、経口清潔感、口臭等の口の中の清涼感を向上させる。様々な実施形態では、例えば、ミント風味の清涼剤、シナモン風味の清涼剤、果物の風味（例えば、レモン、ライム、オレンジ、及び/又はそれと同種のもの）の清涼剤及び/又はそれと同種の様々な清涼菓子及び/又はそれと同種の現時点で知られた及び/又は将来的に知られる如何なる清涼剤でも使用するすることができる。幾つかの実施形態において、例えば、アルトイド（ALTOIDS）、ティック・タックス（TIC TACS）、 バークレイズ（BARKLEYS）、クレスツ（CERTS）及び/又は様々な他の清涼剤製品と同種の清涼剤を使用することができる。
【００３９】
幾つかの実施形態において、経口製品には、以下の１あるいはそれ以上を含めることができる。即ち、
ａ）ガム（例えば、包装された長細い板状チューインガム［例えば、リグレイズ・ビッグ・レッド（WRIGLEY’S BIG RED）スティックガム、リングレイズ・スペアミント（WRIGLEY’S SPEARMINT）スティックガム等］、ガム・ボール［例えばエバークレスト（EVERCREST）ミント風味ガム・ボール等］、
ｂ）キャンディでコーティングされたガム（例えば、リングレイズ・エクリプス（WRIGLEY’S ECLIPSE）長方形型ガム等）、
ｃ）硬い菓子（例えば、ハード・ミント等）、
ｄ）即座に溶解する菓子（例えば、（大人の口中に通常の使用で約３０秒以下残るもの等）の即座に溶解するミント）、
ｅ）ゆっくりと溶解する菓子（例えば、（大人の口中に通常の使用で１分ほど残るもの等）のゆっくりと溶解するミントあるいは薬用キャンデー）、
ｆ）帯状菓子（例えば、アルトイズ（ALTOIDS）ストリップ及び/又はリステリン・ポケット・パックス（LISTERINE POCKET PACKS）等）である。
【００４０】
様々な経口製品の実例が示されているが、この開示に基づいて、様々な実施形態において、様々な他の経口製品（例えば、様々な食品［キャンディ、菓子あるいは他の食品］、薬効のある製品、味を付けた製品及び/又は同様のもの）を用いることができると理解されなければならない。
【００４１】
幾つかの実施形態において、経口製品は、ペパーミント、ハッカ、他のミント風味、ウィンターグリーン、シナモン、リコリス、シトロン風味（例えば、レモン、オレンジ、ライム等）、すっぱい味、ハーブあるいはスパイス味（例えば、にんにく、たまねぎ及び/又は同様のもの）及び/又は他の現在知られたあるいは後に知られるようになった清涼剤の風味のうちの１つあるいはそれ以上の風味を持つ清涼剤を含むものであってもよい。
【００４２】
幾つかの実施形態において、経口製品は、全てあるいは実質的に全ての天然成分を含む。幾つかの実施形態において、経口製品の風味となる材料は、全てあるいは実質的に全て天然成分である。
【００４３】
幾つかの実施形態において、経口製品は、（例えば、バークレイズ・ペパーミント（BARKLEYS PEPPERMINT）に入っているもの等の）少なくとも以下の幾つかあるいは全ての材料を含むものであっても良い。すなわち、砂糖、ブドウ糖の粉末、ソルビトール、マルトデキストリン、ステアリン酸マグネシウム、ペパーミント油（例えば、三度抽出されたペパーミント油）、天然あるいは人工香味料である。幾つかの実施形態において、経口製品は、（例えば、バークレイズ・ウインターグリーン（BARKLEYS WINTERGREEN）ミントに入っているもの等の）少なくとも以下の幾つかあるいは全ての材料を含むものであっても良い。すなわち、砂糖、ブドウ糖粉末、マルトデキストリン、ステアリン酸マグネシウム、人工香味料である。幾つかの実施形態において、経口製品は、例えば、バークレイズ・シナモン（BARKELYS CINNAMON）ミントに入っているもの等の）少なくとも以下の幾つかあるいは全ての材料を含むものであっても良い。すなわち、砂糖、ブドウ糖の粉末、マルトデキストリン、ステアリン酸マグネシウム、天然および人工香味料、ペパーミント油である。
【００４４】
幾つかの実施形態において、経口製品は、カロリーが非常に低い。幾つかの実施形態において、経口製品は、例えば、一食あたり約１０グラム以下、より好ましくは一食あたり約５グラム以下、より好ましくは一食あたり約３グラム以下、より好ましくは一食あたり約２グラム以下等、炭水化物数値が非常に低い。
【００４５】
幾つかの実施形態において、以下の材料の１つあるいはそれ以上が清涼剤製品を作るのに使いられるものとしても良い。すなわち、砂糖、デキストリン、でんぷん、アラビアゴム、天然及び人工香辛料、ステアリン酸マグネシウム、カルナバワックス（例えば、チック・タックス（TIC TACS）に使用されているもの等）である。幾つかの実施形態において、脂肪、飽和脂肪、コレステロール、繊維、ビタミンA、ビタミンC、カルシウム、及び/又は鉄から多くのエネルギーはない。
【００４６】
幾つかの実施形態において、清涼剤の１回の分量は、１個（例えば、一個約０．３ないし０．４グラム等）であっても良く、また容器毎に３０ないし５０個の清涼剤を入れても良く、また１回分のエネルギー総量は、約１ないし２カロリーとしても良い（例えば、チック・タックス（TIC TACS）等）。
【００４７】
いくつかの実施形態において、１つの清涼剤は、以下の１つあるいはそれ以上、あるいは好ましくは以下の全ての量を含むものであっても良い（後に記載したのは１日の摂取量の％）。すなわち、総脂質：０ｇ、０％、ナトリウム：０ｍｇ、０％、総炭水化物：０ｇ、０％、糖類、０ｇ、及び/又はタンパク質、０ｇ。
【００４８】
幾つかの実施形態において、清涼剤は、（例えば、アルトイズ・ウインターグリーン（ALTOIDS WINTERGREEN）ミント等が入っているもの等の）以下の１つあるいはそれ以上の材料を含むものであっても良い。すなわち、砂糖、人工香味料、アラビアゴム、ゼラチン、グルコース・シロップ、自然の風味である。
【００４９】
幾つかの実施形態において、清涼剤は、（例えば、アルトイド・ウインターグリーン（ALTOIDS WINTERGREEN）ミント等の）以下の１あるいはそれ以上の栄養成分を含むものであっても良い。すなわち、１回の分量＝３個（約２ｇ）、容器内の分量＝約５０個、総カロリー＝約１０、脂肪からのカロリー＝約０。
【００５０】
幾つかの実施形態において、清涼剤は、例えば、アルトイズ・ペパーミント（ALTOIDS PEPPERMINT）等に見られるような）以下の１あるいはそれ以上の材料を含むものであっても良い。すなわち、砂糖、ペパーミント油、アラビアゴム、ゼラチン、コーンシロップ等である。
【００５１】
幾つかの実施形態において、清涼剤は、以下の１あるいはそれ以上、好ましくは全ての成分を含むものであっても良い。すなわち、ソルビトール、ステアリン酸カルシウム、ペパーミント油、メントール、スクラロースである。幾つかの実施形態において、清涼剤は、甘味料、好ましくはスプレンダ（商標）（SPLENDA）香味料を含むものであっても良い。
【００５２】
幾つかの実施形態において、清涼剤は、一時的に口臭を消すもの及び/又は口内の悪いあと味を消すためのものであっても良い。幾つかの実施形態において、清涼剤は、（例えば、化学物質、化合物又は同様のもの等を使って）使用者の口内の細菌（例えば、嫌気性細菌）を削減するためのものであっても良い。
【００５３】
幾つかの実施形態において、清涼剤は、例えば、レチン（retsyn）、部分的水素化綿実油及び/又はグルコン酸銅を含むものであっても良い。
【００５４】
幾つかの実施形態において、清涼剤は、例えば、悪臭を吸収しあるいは低減したりするために葉緑素（例えば、クロレッツ（CLORETS）等に使用されているもの等）及び/又は同様のものを使用しても良い。
【００５５】
幾つかの実施形態において、清涼剤は、マルチトール及び/又は他の甘味料を含むものであっても良い。
【００５６】
幾つかの実施形態において、清涼剤は、キシリトール（xylitol）を含むものであっても良い。とりわけ、キシリトールは、虫歯を防止及び/又は対抗する自然甘味料として使っても良い。
【００５７】
幾つかの実施形態において、清涼剤は、例えば、ゾックス（ZOX）ミント等に使われるグルコン酸亜鉛（例えば、特定のアミノ酸と結合しないように嫌気性細菌の受容体をふさぐもの）を含むものであっても良い。
【００５８】
前記清涼剤が細菌を削減する成分を含む幾つかの実施形態において、清涼剤は、リスタリン・ポケット・パックス（LISTERINE POCKET PAKS）経口ストリップの１あるいはそれ以上の成分を含むものであっても良い。幾つかの実施形態において、ストリップは、即座に（例えば、約３０秒以内等）使用者の口内で溶解するものであっても良い。
【００５９】
幾つかの実施形態において、清涼剤は、以下の１あるいはそれ以上の材料（例えば、リスタリン・ポケット・パックス（LISTERINE POCKET PAKS）に使用されているもの）を含むものであっても良い。例えば、プルラン(pullulan)、味付け(flavors)、メントール(mehthol)、アスパルテーム(aspartame)、カリウム・アセスルファム(potassium acesulfame)、グルコン酸銅(copper gluconate)、ポリソルベート８０(polysorbate 80)、カラゲーニン(carragreenan)、グリセリル・オレアート(glyceryl oleate)、オイカリプトール(eucalyptol)、サリチル酸メチル(methyl salicylate)、チモール(thymol)、ローカストビーンガム(locust bean gum)、プロピレングリコール(propylene glycol)、キサンガム(xanthan gum)、着色剤(coloring)（例えば、FDアンドCグリーンNo.3）等である。
【００６０】
幾つかの実施形態において、清涼剤は、例えば、ジクロニン(dyclonine)及び/又はヘキシルレゾルシノール(hexylresorcinol)（例えば、薬用キャンデーのサクレッツ（SUCRETS）等に使用されているもの）及び/又は他の麻酔作用のある１あるいはそれ以上の麻酔効果のある材料を含むものであっても良い。
【００６１】
上記の幾つかの説明において、清涼剤は、清涼用ガムであっても良い。幾つかの実施形態において、清涼用ガムは、以下の１あるいはそれ以上の材料（例えば、ライグレイズ・エクリプス（WRIGLEY’S ECLIPSE）ペパーミントガム等に使用されているもの）を含むものであっても良い。すなわち、マルチトール(maltitol)、ガム基礎剤、ソルビトール(sorbitol)、アカシア(acacia)、マンニトール(mannitol)、グリセロール(glycerol)、自然及び人工香味料、アスパルテーム(aspartame)、着色剤、アセスルファムK(acesulfame K)、カルナバワックス(carnauba wax)、BHT（新鮮味を保つため）、フェニルアラニン(phenylalanine)及び/又は同様のものである。幾つかの実施形態において、清涼用ガムは、以下の１あるいはそれ以上の成分（例えば、エヴァースト・パワフル・ミント・ガム（EVERST POWERFUL MINT GUM）：エクリプス（ECLIPSE）ペパーミントガム等に使用されているもの）を含む。すなわち、砂糖、ガム基礎剤、コーンシロップ、ブドウ糖、天然香味料（例えば、ペパーミント油を含む）、アラビアゴム、キシリトール及び、例えば約２％あるいはそれ以下のグリセリン、二酸化チタン（あるいは他の着色剤）、砂糖シロップ、カルナバワックス、アセスルファムK、アスパルテーム、マルトデキストリン9maltodextrin)、BHT、及び/又は同様のものである。幾つかの実施形態において、清涼用ガムは、以下の１あるいはそれ以上の成分（例えば、ライグレイズ・スペアミント（WRIGELY’S SPEARMINT）板チューインガム等に使用されているもの）を含むものであっても良い。例えば砂糖、ガム基礎剤、コーンシロップ、ブドウ糖、自然及び人工香味料、軟化材、アセスルファムK、BHT、及び/又は同様のものである。
【００６２】
幾つかの実施形態において、各個別の清涼剤が、容器内に個別包装されているものであっても良い（例えば、紙、プラスチック、（例えば、金属フォイル等の）フォイル及び/又は同様のもので包装されている板ガム等。）幾つかの実施形態において、２つあるいはそれ以上セットの複数個の清涼剤が、容器内で、別々に包装されているものであっても良い。幾つかの実施形態において、例えば、容器内の紙包装等で容器内で全ての清涼剤が包装されているものであっても良い（例えば、アルトイドス（ALTOIDS）ミント等。）
【００６３】
幾つかの実施形態において、内部鏡を採用する場合、好ましくは、経口製品は、粒子状物質（例えば、ミントの粉末あるいは同様のもの）が鏡に蓄積しないよう砕ける傾向が大きくないものであることが望ましい。
【００６４】
図９は、例えば、幾つかの好ましい実施形態に係る（例えば、クレート、ダンボール箱、箱及び/又は同様のもの等の）輸送/搬送用パッケージに詰められた清涼剤等の経口製品で満たされた複数個の容器を示す概要図である。この点について、幾つかの実施形態において、経口製品が詰めてある容器は、好ましくは製造業者及び/又は同様のものによる複数個の経口製品と共に包装される。次いで、製品は、好ましくは、配送業者及び小売業者に包装された状態で販売され輸送される。幾つかの好ましい実施形態において、複数個の詰められた容器が、製造業者から配送業者及び/又は小売業者及び/又は最終顧客への搬送のため搬送用パッケージに包装される。
【００６５】
図４と共に既に説明したように、幾つかの実施形態において、鏡は別の鏡カバーの裏面に設けられている。この点について、図４は、容器にヒンジ結合することができる鏡カバー又は、例えば図２に示されたものに類似するスライドカバー等を採用した他の「現在知られあるいは将来的に知られる方法で動くような、カバーあるいはドア」（以下の発明の幅広い範囲から引用された用語）を含む鏡カバーを開示するものである。この点に関し、図１８は、スライド可能な鏡カバー（蓋）が、ベース（本体）とその内部に挿入された鏡支持インサートとを有する容器を覆うように使用されている実施形態を示している。特に、好ましい実施形態において、ベースとインサートとは共に、図１０ないし図１７Ｄに開示されたものと類似した構造を形成する。上述したとおり、別個の鏡カバーを使用する実施形態において、鏡は外部の環境要因（例えば、カバーの下）から保護され、かつ容器の内側から隔離（例えば、内部の経口製品から離れている）される。
【００６６】
上述したように、図１０は幾つかの実施形態に係る正面斜視図、図１１は図１０の実施形態の左側からみた第１端面図、図１２は図１０の実施形態の右側からみた第２端面図、図１３は図１０の実施形態の正面の側面図、図１４は図１０の実施形態の裏面の側面図、図１５は図１０の実施形態の上面図、そして図１６は図１０の実施形態の底面図である。
【００６７】
好ましい実施形態において、図１０に開示されているデバイスは、図示のように鏡を支持するインサート（好ましくはプラスチック等で形成される）を含める（例えば、ぴったりと受け入れる）ベース（本体）（好ましくは、アルミ二ウム、鋼鉄、スズ、及び/又は他の適切な金属等で形成される）を備えている。この点に関し、図１５に示すように、インサートは、好ましくは、その上部に取り付けられた鏡を含む。例えば、インサートは、鏡を取り囲み、かつ鏡の上面がインサートの上面と実質的に同一面になるように構成された凹所を有するものとすることができる。
【００６８】
図１８に示されるように、幾つかの好ましい実施形態において、組み立てに際し、インサートは最初に取り外すことができる。次いで、製品（例えば、ミント）をベース（本体）内にたやすく収容することができる。そして、インサートは、ベース内に製品を収容するように該製品の上にたやすく配置することができる。好ましくは、インサートは、挿入時にベースにぴったりと押し込まれるようにわずかに内側に先細となった複数の幅広い脚部を備えている（実施形態では４つの脚部が例示されている）。好ましくは、脚部は、ベース内の製品の周囲で自由にスライドする。このように、詰め込み作業が簡単になり、かつ小さな取出開口部等を介して行う必要もない。このようにして、鏡は、製品の外側で支えられることが出来る。加えて、鏡は、外側のカバー（蓋）の内側で支えられる。その上、鏡は、カバーが曲がる場合、幾つかの実施形態において、インサートは、更に鏡を保護するためいくらか自由に動くように、実質的に硬いが柔軟な部材（例えば、多少弾力性のあるプラスチックのインサートを使用するなどして）によって支えられる。
【００６９】
図１５に示されるように、幾つかの実施形態において、取出開口部は、その開口部にぴったりフィットするサイズの型抜きカバープレートを備えている（図示省略）。例えば、そのプレートは、インサート本体の取出開口部の回りに複数箇所で取り付けることができる。そして、使用時に、ユーザは、そのプレートを打ち抜いて取り除きあるいは容器内に押し込むことができる。しかしながら、幾つかの実施形態において、取出開口部はカバープレートを使用しなくてもよく、小さな取出開口部を開口させたままでも良い。しかしながら、好ましい実施形態においては、インサートは、鏡を製品収容領域から実質的に隔離させる（幾つかの実施形態において、取出開口部が開口している場合、取出開口部の部分を除く）。
【００７０】
図１７Ａないし図１７Ｄの実施形態は、他の変形例を示すものであり、図１７Ａは、破線部分は任意的であるが、この容器は図示された位置において上面に小さな開口部を有する（注意：取出開口部は、様々な形状とすることができ、この実施形態では、使用可能な円形開口部とされている）、図１７Ｂは、鏡は取出開口部を囲まないように構成されているが、ほぼ長方形状に形成されている（注意：この実施形態でも、円形開口部となっている）、図１７Ｃは、開口部が異なる位置にある図１７Ｂと類似するものである、そして図１７Ｄは、図１７Ｂ及び図１７Ｃに示された実施形態と類似するものであるが、他の実施形態において、取出開口部を任意の位置に形成することができることを示すために取出開口部を破線で示している（例えば、ベース部あるいは他の位置にも形成しうる）。
【００７１】
図１０ないし図１８に示された実施形態に関し、これら実施形態は本発明の幾つかの好ましい実施形態に従って実質的にスケールするために幾つかの好ましい実施形態を表している。これら図面に示されたような装飾的なデザインを備えたデバイスが好適に実施され、それら図面は幾つかの実施形態において実質的に実物大及び比例する。
【００７２】
図１９Ａは、幾つかの実施形態における、容器の回りにシュリンクラップ及び他の包装紙を適用した状態を示す概要図である。図示の如く、幾つかの好ましい実施形態において、個々の容器は、例えばプラスチックあるいはポリマーラップのようなシュリンクラップの内側に更にシールされる。幾つかの実施例において、図示の如く、個々の容器１９Ｃはほぼチューブ状の包装紙１９Ｗ内に配置され、次いで包装紙がぴったりと容器を包みかつシールするように、熱が加えられる（例えば、幾つかの実施例において、シュリンクラップは、容器の全体あるいは容器の主要部分を覆うようにしても良い）。とりわけ、シュリンクラップは、製品の鮮度を保持するのに役立ち、かすり傷等から容器を保護し、かつカバーが不慮にスライドするのを防止するのに役立つ。その上、シュリンクラップは、更に不正開封を防ぐ包装にもなる。
【００７３】
図１９Ｂは、本発明の幾つかの実施形態に係る複数個のリフィル容器を示す。これに関して、個人は、ここで説明された本発明の１あるいはそれ以上の実施形態に係る鏡付き容器を最初に購入すると考えられる。そしてその個人は、幾つかの実施形態において、最初に購入した容器内のミントあるいは同様のものを補給するためにリフィルを購入する。これに関して、鏡付きの最初の容器は、例えば、コレクターズ・アイテムとなり得る。使用者は、コレクターズ・アイテムの容器を保持し、容器のリフィルを購入する。当然ながら、他の実施形態において、最初の容器は、通常の菓子、ミント及び/又はキャンディーの容器のように処分され得る。
【００７４】
図１９Ｂに示されるように、幾つかの実施形態において、リフィルは、例えば、（例えば、簡単に計量し取替えることができるように）パックケージの中身が最初の容器の中身と適合するようにサイズが設定された例えば１９Ｒ１のような「シングルパック」として購入され得る。これに関して、リフィル容器は、単なるプラスチック袋等（例えば、破線で示したミントが収容され、台紙１９Ｒ１Ｃを有するようなもの）のとても安価な容器であることが好ましい。幾つかの実施形態において、リフィルは、例えば、１９Ｒ２として示されたような、複数の（例えば、この実施形態では５つ）のシングル・パックを含む（点線で示された）単一容器等の、シングル・パックとして包装されているものとして購入し得る。幾つかの実施形態において、リフィルは、例えば、最初の鏡付き容器のリフィル用のミントの大きな瓶１９Ｒ３等で大量購入され得る。
【００７５】
幾つかの実施形態において、容器をコレクターズ・アイテムとしてより良くするために、例えば、ひとまとまりの容器等に、独特のスローガン、運勢（例えば、通常のおみくじ入りクッキー等の中に入っているようなもの）、星占い、日付スタンプ、休日あるいは情報等を容器にプリントあるいは形成するものとしても良い。例えば、容器には、「バレンタインデー２００５」あるいは「準備を怠るな、ロマンスと情熱はすぐそこに」等の季節の情報を印刷するものとしても良い。幾つかの好ましい実施形態において、そのような印刷、掘り込み等は、例えば恋愛関係及び/又はロマンチックなイベント等の、ロマンチックなものにしても良い。幾つかの実施形態において、印刷、掘り込み等を、容器の内側位置（例えば、容器の内部の鏡の一部分、鏡に隣接するインサートの一部分、あるいはリムーバブルのシール）に形成すると、それらは最初に購入し容器を開けたときに視認されるようになる。
【００７６】
図２０は、図１０ないし図１８に示された実施形態に類似した実施形態の斜視図である。しかしながら、図２０に示されている実施形態は、１あるいはそれ以上の鏡表示部材を含んでいる。特に、幾つかの実施形態において、例えば、容器が消費者への販売のためにディスプレイされている状態等の閉まっている状態において、消費者が容器内の鏡の独創性および識別性を把握しあるいは認識するのが困難になる。
【００７７】
図２０に示されるように、図１０ないし図１８に示された実施形態のバリエーションの１つは、スライドするカバーあるいは上部２０Ｌに少なくとも１つの貫通孔２０ＴＨを備えた鏡表示部材を含めることである。このようにすると、消費者は、閉まった状態でも鏡に気付くことができる。幾つかの実施形態において、貫通孔２０ＴＨは、（必要であれば）保護の目的で透明なプラスチック製のシュリンクラップ等で覆うようにしても良い。図２０に図示したように、幾つかの実施形態において、蓋２０Ｌは、容器の内側に向かって少し（例えば、約１ｍｍあるいはそれ以下）だけ下方に伸びた窪み凹部２０Ｄが少なくとも１つ（実施形態では２つ示されている）形成されている。ここでは、蓋２０Ｌが、矢印Ａの方向に沿って横に動いて、取出開口部及び鏡の双方が露出する、破線２０ＬＤで表される開放状態となされたとき、前記窪みは、容器底部の端壁２０ＥＷの内側表面に当接する。好ましくは、このポジションで、蓋２０Ｌは、閉まった状態で露出していた鏡が開放状態のカバー２０Ｌで覆われているように位置される（例えば、最も開いた状態で蓋の端を示す破線２０ＤＬを参照）。その結果、閉じた状態で蓋の下に位置する鏡は、きれいな鏡表示を提供するように保護された状態となる。加えて、閉状態で見えている鏡がわずかに汚れたりあるいは傷ついた場合（例えば、指紋等で）、そのようなものは、容器が開いた状態では、見えない。
【００７８】
図２０に示されるように、図１０ないし図１８に示された実施形態の他のバリエーションは、容器の外面に少なくとも１つの鏡あるいは同様の反射物２０Ｒを備えた鏡表示コンポーネントを含む。幾つかの実施形態において、外面に設けられた鏡あるいは同様の反射物２０Ｒは、容器内の鏡の独創性及び識別性に関する使用者の認識を向上させるために使用されるミニチュアの要素である。例えば、幾つかの実施形態において、要素２０Ｒは、約１/４インチ（約０．６３センチ）ないし約１/２インチ（約１．２５センチ）の幅及び、約１/３インチ（約０．８３センチ）ないし約２/３インチ（約１．６７センチ）の長さの鏡あるいは同様の反射物を含んでも良い。幾つかの実施形態において、ほぼ長方形としても良い。幾つかの実施形態において、それから得られる連想の認識を容易にするため要素２０Ｒに表示を設けても良い。例えば、幾つかの実施形態において、内部の鏡の独創性及び識別性に関する消費者の認識を高めるために、「MIRROR INSIDE（内部に鏡があります）」という言葉が要素２０Ｒに添えても良い。従って、要素２０Ｒは、消費者の注目を得るための特徴的なトレードマークとなり得る。
【００７９】
また、図２０は、蓋２０Ｌを閉じた状態で保持するための窪み２０ｄを示している。蓋を横方向にスライドさせて開状態にするとき、窪み２０ｄは、端部壁２０ＥＷの上部に弾性的にパチンと乗り越える。このような固定用窪みは、ここに記載した様々な実施形態に適用可能である。
【００８０】
図２１は、容器内に例えばコイン及び/又は他のアイテム等の大き目のアイテムを収容するようなサイズに設定された取出開口部を備えた、図１０ないし図１８に示された実施形態に類似する実施形態の斜視図である。特に、図２１は、図１０ないし図１８に示されたものと類似する容器下半体２１Ｂを示すものである。図２１において、蓋は省略されている。しかしながら、好ましい実施形態においては、スライド蓋は図１０ないし図１８に示したものと類似したものが含まれる。図２１に示されているように、インサート２１Ｉ（例えば、図１８に示されたものと類似するプラスチックのインサート等）は、好ましくは鏡２１Ｍを支える。また、インサート２１Ｉは、好ましくは、取出開口部をも有する。図１０ないし図１８に示されている取出開口部とは異なって、図２１の取出開口部は、好ましくは拡大されたものあるいは拡大できるようになされている。
【００８１】
このように、幾つかの好ましい実施形態において、内容物を空にすると、使用者は、例えば、小銭、宝石類、飾りピン、絵、写真、鉛筆、コンタクトレンズ（例えば、コンタクトレンズケースに収容されたコンタクトレンズ）、薬、あるいは医薬品（例えば、アスピリン等）、切手、及び/又は他のイテム等の他の付属物を入れるための容器としてたやすく使うことができる。
【００８２】
この図示実施形態において、取出開口部は、図２１に示す矢印Ａの方向に、ヒンジ２０ＨＩ（例えば、薄くて柔軟性のあるプラスチックの部分等）の回りに旋回するドアあるいは容器開口蓋２１ＣＯＬを旋回させることによって拡大するものとしても良い。幾つかの実施形態において、蓋２１ＣＯＬを指または親指で開けるためのつまみ２１ＴＴが付けられている。幾つかの実施形態において、そのような拡大された蓋２１ＣＯＬは、容器内のミント等を取り出すために使用され得る。幾つかの実施形態において、例えば、ミント等を取り出すための蓋２１ＣＯＬの中心等に、小さめの孔ないし取出開口部２１Ｈが設けられても良い。そして、中身を空にした際に、使用者は、前述したように拡大された取出開口部を使用することができる。
【００８３】
幾つかの実施形態において、取出開口部２１ＣＯＬは、例えば、米国の２５セント、１０セント、５セント、１セント等の直径が少なくとも約1/2インチ（約１．２５センチ）ないし約3/4インチ（１．８８センチ）のコインが入るほどの大きさに構成されている。図２１を参照して、幾つかの図示された限定的でない実施形態において、容器は、以下の寸法のものを含み得る（あるいは、幾つかの実施形態において、このような寸法に比例的に類似するサイズのものを含み得る）：約３インチ（約７．５センチ）ないし約３・1/4インチ（約８．１２センチ）の長さＬ１（あるいは、例えば、幾つかの実施形態において、約３・2/16インチ（約７．８１センチ））；約１・1/8インチ（約２．８１センチ）ないし約１・1/2インチ（約３．７５センチ）の幅Ｗ１（あるいは、例えば、幾つかの実施形態において、約１・5/16インチ（約３．２８センチ））；約3/8インチ（約０．９３センチ）ないし約5/8インチ（約１．５６センチ）の高さＨ１（あるいは、例えば、幾つかの実施形態において、約8/16インチ（約１．２５センチ））。加えて、幾つかの実施形態において、鏡の寸法（あるいはこれに比例する寸法）は、約２・1/8インチ（約５．３１センチ）ないし約２・3/8インチ（約５．９４センチ）の幅（あるいは、例えば、幾つかの実施形態において、約２・1/4インチ（約５．６２センチ））および、約7/8インチ（約２．１９センチ）ないし１・1/8インチ（約２．８１センチ）（あるいは、幾つかの実施形態において、約１インチ（約２．５センチ））の長さ）である。幾つかの実施形態において、完全に開いた状態で露出する鏡領域は、幅が約7/8インチ（約２．１９センチ）ないし約１・1/8インチ（約２．８１センチ）、かつ長さが約１・3/8インチ（約３．４４センチ）ないし約１・7/8インチ（約４．６９センチ）（あるいは、例えば、幾つかの実施形態において、約１・5/8インチ（約４．０６センチ））である。
【００８４】
図２２は、図１０ないし図１８に示された実施形態に類似する実施形態の斜視図である。図２２に示された実施形態において、蓋２２Ｌは、説明の目的で容器の本体２２Ｂの上に離れた状態で示されている。しかしながら、蓋は、例えば、図１０ないし図１８に示された実施形態のように例えば矢印Ａの方向に横方向にスライドするように構成されてもよい。図２２に示された実施形態においては、容器の本体２２Ｂの端部２２Ｅに取出開口部が構成されている。特に、この実施形態は、例えば矢印Ａの方向に蓋を引っ込めた際に、（例えば、ここに説明されている幾つかの実施形態のように蓋が取出開口部の後ろを最初に通ることを要求するのではなく）鏡がもっと直ちに見えるように、鏡２２Ｍが蓋の下部領域のほぼ全体に伸びるようになっている。この図示実施形態において、インサート２２Ｉは、容器の本体２２Ｂの端部の取出開口部２２ＥＯの上部に位置するフラップ２２Ｆを有する。操作では、フラップが矢印ＡＯの方向に開くことができるように該フラップ２２ＦのヒンジＨＩが露出するように蓋２２Ｌが方向Ａに沿って横方向にスライドされる。幾つかの実施形態において、使用者は、つまみ２２ＴＴを使ってフラップをつかむ。幾つかの実施形態において、蓋２２Ｌがヒンジ２２ＨＩの上をスライドする時に端部の取出開口部を覆うようにフラップが下方に動くが、蓋２２Ｌがヒンジを外れた時には、図示された方向ＡＯに動いてフラップが開いた状態になるように（例えば、バネ等で）ヒンジ２２ＨＩが付勢されている。
【００８５】
図２３は、容器の下部２２Ｂが破線のみで示した、図２２に示された容器の部分的な断面の側面図である。とりわけ、図２３は、（例えば、上で説明したように矢印方向の弾性バイアスを含む）ヒンジ２２ＨＩの回りを旋回するフラップ２２Ｆの上方移動を蓋の一部分２２ＢＬが妨げるように、蓋２２Ｌが閉まっている状態でどのように蓋がフラップ上に伸びるかを説明するのに役立つものである。
【００８６】
特に、フラップ２２Fが通常は開く状態にバイアスされている実施形態において、図２２の矢印Ａ方向に単に蓋を動かすことによって、ａ）鏡が露出し、かつｂ）フラップをブロックするものが取り外されるのでフラップが開く。そして、矢印Ａと反対方向に蓋を動かすと、蓋（例えば、部分２２ＢＬ等）は、図２２および図２３に示されるように、フラップが閉まった状態になるように、フラップに対してカム作用すなわち押す動作が行われる。
【００８７】
図２４は、図２２および図２３に示されたものに類似する変形されたインサート２４Ｉの斜視図であるが、矢印ＡＯ方向に下方に旋回する取出開口部を含む。この実施例において、フラップ２４Ｆは、ヒンジ２４Ｉの回りに下方に旋回する。幾つかの実施形態において、フラップ２４Ｆは、同じように、開位置をとるようにバネでバイアスされ得る。加えて、蓋が容器上に位置して閉まった状態でフラップ２４Ｆが閉じた状態でパチンとはまるように、スナップ式あるいは他の係合メカニズムが、フラップ２４Ｆと蓋との間に設けられても良い。そして、図２２に示された矢印Ａの方向に蓋２２Ｌを動かしたときに、蓋の動きだけで、使用者は、フラップが開く（例えば、解除される）と同時に簡単に鏡２４Ｍを露出させることができるようにスナップ式あるいは他の係合メカニズムが解除される。
【００８８】
図２５は、例えば、ミント等の経口製品のための取出開口部２５ＤＯが容器本体２５Ｂの側面に位置する別の実施形態の部分的な斜視図である。図示されているように、幾つかの典型的な構造において、蓋２５Ｌは、例えば容器本体２５Ｂ又は少なくとも鏡２５Ｍ及び取出開口部２５ＤＯがある容器の部分を囲むようになされたほぼチューブ状のスリーブとして構成され得る。
【００８９】
図２６Ａは、複数個の容器を展示及び/又は輸送するためのワイヤーラック２６Ｒの正面斜視図である。幾つかの好ましい実施形態において、複数個の容器２６Ｃ（例えば図示実施形態では４８個の容器）は、例えば、輸送用箱の中などパッケージ中等に入れられるラック２６Ｒに配置されている。このようにすると、製品は、格別な取り扱いをすることなく、すぐにパッケージから取り出して展示できる。幾つかの好ましい実施形態において、図示されているように、ラックは、それに搭載された開いたあるいは開けることができるサンプル展示用容器を含む鏡ディスプレイ部材２６ＭＶを有する。このようにすると、消費者はすぐに、容器内の鏡および独特性を認識することができる。しかしながら、幾つかの実施形態において、鏡ディスプレイ部材２６ＭＶは、例えば鏡ディスプレイ部材が輸送パッケージ、箱、カートン等の中に簡単に配置できるようにラックの上端部の下に位置することを可能にするなどの目的で、図２６Ａに示すように矢印Ａの方向に下向きに旋回するように取り付けられている。
【００９０】
幾つかの実施形態において、図示されているように、鏡ディスプレイあるいは表示要素２６ＭＶは、好ましくはラックの上端よりも下位に位置する旋回バー２６ＰＢに旋回自在に取り付けられた容器サポート２６ＣＳを含むものであっても良い。このように、好ましい実施形態において、鏡ディスプレイ部材２６ＭＶは、ラックの上端よりもずっと下に旋回する。好ましい実施形態において、鏡表示部材は、取出開口部２６ＤＯを露出させた及び/又は鏡２６Ｍを露出させた（好ましくはその両方）開いた状態の容器のサンプルを描く。この図示実施形態において、取出開口部２６ＤＯ及び鏡２６Ｍのいずれも、図１８に示されたものと類似するインサート２６Ｉに形成される。
【００９１】
図２６Ａに示された実施形態においては、ラックは、各段３列づつ２段に容器を保持している。他の実施形態では、それよりも段及び/又は列が多いあるいは少ない、及び/又は状況に応じてた別の修正を加えたものであっても良い。
【００９２】
幾つかの好ましい実施形態において、ラックは、例えば、製品情報、宣伝、価格情報などを含むのに使われる、容器の各段の底部側に位置する、ラベル取付面２６ＬＢを有する。また、そのような表面は、ディストリビュータが消費者が見るための情報を提供するために使われたり、及び/又は小売業者（例えば、ディストリビュータから製品を入手する者）が消費者に類似した、追加的な、あるいは修正した情報を提供するために使われる。幾つかの実施形態においては、図２６Ｃに示されているように、例えば、製品等の情報カード（例えば、図示実施例のカード２６ＬＢＣ）を挿入及び保持するために使われる図２６Ｃに示されるような通常の溝式のラベル配置機構を備えるように、当該技術分野で既知の別のラベル配置あるいは保持機構を備えるように修正され得る。
【００９３】
図２６Ｂは、図２６Ａに示されるような、図示輸送及び/又は展示用カートン２６ＢＸおよび幾つかの実施形態に係る複数個の図示容器に隣接したワイヤーラック２６Ｒの斜視図である。図２６Ａ及び図２６Ｂに示された全ての事項および特徴は、容器、ラック及びカートンの実施形態をそれぞれ比例関係及び縮図で示している。図２６Ｂにおいて、ワイヤーラック２６Ｒは、図２６Ａに示されたラックの部分的な斜視図を示す。また、カートン２６ＢＸは、例えば、カートンと一体化された直立する情報ラベル２６ＢＸＬ（輸送中に保護のために下方に入れられるものとしても良い）及び、例えば、展示の際に、容器２６Ｃを手で取り除くことが容易にできるようにするために正面に凹所切り抜きが形成された、製品を展示するための１つの図示された好ましい方法を示している。
【００９４】
図２７Ａは、ここに記載された発明の幾つかの図示実施形態の容器に収容されて取り出せる例示的な幾つかの経口製品を示している。図２７Ａは、例えば、複数個のミント／キャンディ、複数個のタバコ、及び容器内に示されたタバコ等を含む経口製品を示す。
【００９５】
例えば、経口製品として、ミント２７Ｍであっても良い。幾つかの実施形態において、前記ミントは、ほぼ円筒形であり、かつ高さが約２/８センチないし約６/８センチ、より好ましくは約１/２センチであり、直径ｄが約２/８センチないし６/８センチ、より好ましくは約１/２センチである。また、幾つかの実施形態においては、前記ミントは白色である。使用される色については、
容器の外側（例えば、図１８に示された実施形態のような容器の下部及び蓋の外側を含む）は実質的にピンク色であり、この色は、幾つかの好ましい実施形態においては、特にロマンチックな状況において望ましく、かつ好ましい実施形態の特定の使用のために特に識別的である。また、サイズについては、幾つかの好ましい実施形態において、経口製品のための取出開口部は、一度に数個（例えば、約１個ないし５個等）の経口製品を取り出せるほどのサイズである。例えば、高さ及び直径がそれぞれ約１/２センチのミントの場合、幾つかの実施形態においては、取出開口部は、例えば、幅が約６センチないし約８センチ（例えば７センチ）、幾つかの図示された制限的ではない実施形態においては、長さが約１．０センチないし約１．４センチ（例えば約１．２センチ）である。幾つかの好ましい実施形態では、製品の平面の表面積の約１０倍未満、好ましくは製品の平面の表面積の約５倍未満の表面積、より好ましくは製品の平面の表面積の約４倍未満の表面積を有する取出開口部を含む（例えば、円筒形のミントが直径１/２センチである場合、そのミントの平面の表面積は、円周率ｘ半径の２乗、すなわち円周率/１６平方センチである 。）
【００９６】
他の実施例として、図２７Ａは、この発明の幾つかの実施形態に含まれる経口製品であり得るタバコ２７ＣＧを示る。これに関して、タバコのパッケージに鏡を設けることも同様に、例えば一部の喫煙者は個人的にこのタバコは口臭を消すのに役立つと考え、また喫煙者はよく自分自身の個人的なイメージ、歯の色等を心配しあるいは関心を持つために、注目すべき効果がある。幾つかの実施形態においては、このタバコには、清涼等のためのキャンディないしは菓子タバコあるいは、ハッカ入りのタバコあるいはミント風味のものであっても良い。
【００９７】
図示の目的で、図２７Ａは容器本体２７Ｂに入れられた複数のタバコを示し、図２７Ｂは図１８に実質的に類似する容器であるが、高さｌが増加されており、この実施形態において、蓋２７Ｌ及び鏡２７Ｍが容器の一番大きな側面ではない容器の側面に位置されていて、図示された矢印の方向に取出開口部２７ＤＯから簡単に取り出せるように縦方向に配置されたタバコを取り出すために使用される容器２７Ｃを示している。
【００９８】
幾つかの好ましい実施形態によると、本発明の１あるいはそれ以上の実施形態に係る容器を製造し及び/又は配布する方法には、以下のものがある。
１．第１に、容器の製造業者は、例えば、会社のロゴ、会社の商標、個人情報、イベント情報、及び/又は他の情報等を、例えば容器の表面に、印刷、型うち、彫り込みあるいは別の方法で形成した容器を製造するように申し出る。例えば、図２６において、容器は、商標LITTLE Iが印刷されている。
２．第２に、機関、会社、及び/又は他の団体等の要求する団体が、製造業者に情報を容器に追加させて、同団体の要求に特有な容器とする。
３．第３に、製造業者は、そのような特定の情報が形成されたそのような容器を製造する。そのような容器は、通常、要求した団体によって製造業者から購入される。
４．第４に、要求する団体は、宣伝アイテム、プレミアム、景品等としてそれら容器を分配する。
【００９９】
幾つかの好ましい実施形態において、本発明の幾つかの実施形態に係る容器は、ミント等で満たされる。そして、使用者は、個人的なメークアップあるいはメークオーバーを行うために容器内の鏡を効果的に使用することができる。このように、例えば、単に個人の歯の点検をする（例えば、個人が口の中のミントを観察する等の）ために鏡を使用する代わりに、使用者は、具体的に、個人的なメークアップあるいはメークオーバーのトリートメントのために鏡を使用することができる。例えば、そのようなメークアップあるいはメークオーバー・トリートメントは、例えば、ほお紅、アイライナー、マスカラ、アイシャドー、メークアップ、肌のクリーム及び/又は同様のものを使用者の顔あるいは容姿につけることを含む。従って、ミントは、好ましくは、同時に使用者のムードを、満足的な味及び/又は清涼向上性能により向上させる。従って、幾つかの好ましい実施形態においては、ミントは、例えば、宣伝の直接的に暗示する表現、書面の指示（通常は要求されない）、あるいは販売のコンテクストのため等（例えば、容器内の鏡の提案された使用法に消費者が関連性を持つのに役立つように、ミントを店のメークアップ品コーナーあるいは他のメークアップに関するアイテムと一緒に販売する等）、メークアップあるいはメークオーバー・トリートメントを行うコンテクストで前記ミントを使用するのを指示あるいは勧めるようにして小売される。
【０１００】
発明の幅広い範囲
【０１０１】
本発明の図示実施形態がここに説明されているが、本発明は、ここに記載された各種の好ましい実施形態に制限されるものではなく、この開示に基づいて当該分野における者によって認識されるであろう如何なるかつ全ての修正、削除、組み合わせ（例えば、各種実施形態に跨る特徴）、改良及び/又は変更を含むものである。他の単なる実施例として、各種他の実施形態は、完全に取り外せる蓋、取替え可能な蓋及び/又は現在知られているあるいは将来発見される方法を使用して動かせられる蓋あるいはドアが付いている容器を含む。請求項の限定事項は、請求項の表現に基づいて幅広く解釈されるべきであり、本明細書あるいは出願の手続中に説明された実施例に限定されるものではなく、非独占的と解釈される。例えば、この開示において、“好ましい”という用語は、非独占的であり、かつ、“好ましいが、制限されない”という意味である。ミーンズ・プラス・ファンクションあるいはステップ・プラス・ファンクションの限定は、以下の全ての条件がその限定に存在する特定の請求項の限定にのみ使用される：ａ）「〜の手段」あるいは「〜の方法」と明確に記載されており、ｂ）対応する機能が明確に記載されており、かつｃ）その構造を支持する構造、材料あるいは行為が言及されていない。
【０１０２】
本願は、２００３年１０月１６日に出願された米国仮出願第６０／５１１，２９８号の優先権主張を伴う鏡付き経口製品用容器と題する米国特許出願第１０／８５８，３９１号の一部継続出願でありその優先権主張を伴うものであり、それらの開示内容はそのままレファレンスとして本願の一部を構成するものである。
【図面の簡単な説明】
【０１０３】
添付図面は、本発明あるいは各種他の実施形態の広い範囲を制限することなく、例示として提供するものである。
【０１０４】
【図１】図１は、幾つかの図示実施形態に係る容器の概略側方斜視図である。
【図２】図２は、幾つかの図示実施形態に係る別の容器の概略側方斜視図である。
【図３】図３は、幾つかの図示実施形態に係る別の容器の概略側方斜視図である。
【図４】図４は、幾つかの図示実施形態に係る別の容器の概略側方斜視図である。
【図５】図５は、幾つかの図示実施形態に係る別の容器の概略側方斜視図である。
【図６】図６は、幾つかの鏡を構成する実施形態を描く図示実施例Ａ及びＢの一部を示す概略側面図である。
【図７】図７は、前記容器が鏡台として使用されるようになされた幾つかの実施形態に係る他の容器を示す複数の概略側方斜視図である。
【図８】図８は、使用者のズボンのポケットに入っている容器を示す概略図である。
【図９】図９は、（例えば木箱、段ボール箱等の）包装パッケージ内に詰められている、例えば清涼剤等の経口製品が詰め込まれた複数個の容器を示す概略図である。
【図１０】図１０は、幾つかの実施形態に係る正面斜視図である。
【図１１】図１１は、図１０の実施形態を左側から見た第１の端面図である。
【図１２】図１２は、図１０の実施形態を右側から見た第２の端面図である。
【図１３】図１３は、図１０の実施形態の正面から見た側面図である。
【図１４】図１４は、図１０の実施形態の裏面から見た側面図である。
【図１５】図１５は、図１０の実施形態の上面図である。
【図１６】図１６は、図１０の実施形態の底面図である。
【図１７Ａ】図１７Ａは、図１５に示された構造に代えて使用しうる代替物の上面図である。
【図１７Ｂ】図１７Ｂは、図１５に示された構造に代えて使用しうる代替物の上面図である。
【図１７Ｃ】図１７Ｃは、図１５に示された構造に代えて使用しうる代替物の上面図である。
【図１７Ｄ】図１７Ｄは、図１５に示された構造に代えて使用しうる代替物の上面図である。
【図１８】図１８は、内側のカバープレートが取り外されかつスライドカバーが取り外された、図１０に示す実施形態に類似する装置の拡大図である。
【図１９Ａ】図１９Ａは、幾つかの実施形態において容器をシュリンクラップ又は他の包装紙で包んだ場合を示す概略図である。
【図１９Ｂ】図１９Ｂは、本発明の幾つかの実施形態において複数個のリフィル容器を示す図である。
【図２０】図２０は、例えば容器の外側に貫通孔等の鏡表示要素を有する図１０ないし図１８に示されたものに類似する実施形態の斜視図である。
【図２１】図２１は、例えばコイン又は他のアイテム等の、より大きいアイテムが前記容器に入るように拡大された取出開口部を有する図１０ないし図１８に示されたものに類似する実施形態の斜視図である。
【図２２】図２２は、蓋が容器本体から分離されて真上にあり、かつ容器本体の前端部に拡大された取出開口部及び拡大された取出開口部を有する図１８に示されたインサートに類似するインサートを備えた図１０ないし図１８に示された実施形態に類似する実施形態の斜視図である。
【図２３】図２３は、図２２に示された蓋の下にあるインサートの側面図である。
【図２４】図２４は、図２２および図２３に示されたものに類似する修正されたインサートであるが該インサートに下向きに旋回する取出開口部を備えたものの斜視図である。
【図２５】図２５は、取出開口部が容器本体の側面にある別の実施形態の部分的な斜視図である。
【図２６Ａ】図２６Ａは、とりわけ展示用の開閉可能な容器が取り付けてある鏡表示要素を含む複数個の容器の展示又は／及び輸送のためのワイヤーラックの正面斜視図である。
【図２６Ｂ】図２６Ｂは、箱に隣接する図２６Ａに示されたワイヤーラック、および図示実施形態の実施態様に係る複数個の容器を示す斜視図である。
【図２６Ｃ】図２６Ａ及び図２６Ｂに示されたものに類似するラック上に含まれうる修正されたラベル保持機構の斜視図である。
【図２６Ｄ】図２６Ｄは、特にアセンブリの好ましい装飾の形態を示し実質的にスケールするための幾つかの実施態様に係る図２６Ａおよび図２６Ｂに示したものと類似するラックの斜視図である。
【図２６Ｅ】図２６Ｅは、上記ラックの正面図である。
【図２６Ｆ】図２６Ｆは、上記ラックの背面図である。
【図２６Ｇ】図２６Ｇは、上記ラックの側面図である。
【図２７Ａ】図２７Ａは、例えば複数個の図示ミント/キャンディ、複数個のタバコ、及び容器本体中に描かれた複数個のタバコ等を含む経口製品を示す斜視図である。
【図２７Ｂ】図２７Ｂは、発明の幾つかの実施形態に係る、内部にタバコが入っている容器の斜視図である。
【図１】
2007508865.tif 000003
【図２】
2007508865.tif 000004
【図３】
2007508865.tif 000005
【図４】
2007508865.tif 000006
【図５】
2007508865.tif 000007
【図６】
2007508865.tif 000008
【図７】
2007508865.tif 000009
【図８】
2007508865.tif 000010
【図９】
2007508865.tif 000011
【図１０】
2007508865.tif 000012
【図１１】
2007508865.tif 000013
【図１２】
2007508865.tif 000014
【図１３】
2007508865.tif 000015
【図１４】
2007508865.tif 000016
【図１５】
2007508865.tif 000017
【図１６】
2007508865.tif 000018
【図１７Ａ】
2007508865.tif 000019
【図１７Ｂ】
2007508865.tif 000020
【図１７Ｃ】
2007508865.tif 000021
【図１７Ｄ】
2007508865.tif 000022
【図１８】
2007508865.tif 000023
【図１９Ａ】
2007508865.tif 000024
【図１９Ｂ】
2007508865.tif 000025
【図２０】
2007508865.tif 000026
【図２１】
2007508865.tif 000027
【図２２】
2007508865.tif 000028
【図２３】
2007508865.tif 000029
【図２４】
2007508865.tif 000030
【図２５】
2007508865.tif 000031
【図２６Ａ】
2007508865.tif 000032
【図２６Ｂ】
2007508865.tif 000033
【図２６Ｃ】
2007508865.tif 000034
【図２６Ｄ】
2007508865.tif 000035
【図２６Ｅ】
2007508865.tif 000036
【図２６Ｆ】
2007508865.tif 000037
【図２６Ｇ】
2007508865.tif 000038
【図２７Ａ】
2007508865.tif 000039
【図２７Ｂ】
2007508865.tif 000040
【手続補正書】
【提出日】平成19年1月24日(2007.1.24)
【手続補正１】
【補正対象書類名】特許請求の範囲
【補正対象項目名】全文
【補正方法】変更
【補正の内容】
【特許請求の範囲】
【請求項１】
経口製品用容器であって、
ａ）内部に収容された清涼用の複数個の清涼剤と、
ｂ）容姿を整えるための鏡と
を含むことを特徴とする経口製品用容器。
【請求項２】
前記鏡は、前記容器を閉じた際に該容器の内側に位置するものとなされていることを特徴とする、請求項１に記載の容器。
【請求項３】
前記鏡は、前記容器を閉じた際に該容器の外側に位置するものとなされていることを特徴とする、請求項１に記載の容器。
【請求項４】
前記清涼剤は、ペパーミント、スペアミント、他のミント風味、ウィンターグリーン、シナモン、リコリス、シトロン風味、酸味、及びハーブあるいはスパイス風味のうちの少なくとも１つの風味を有することを特徴とする、請求項１に記載の容器。
【請求項５】
請求項１に記載の容器を配送する方法であって、
ａ）包装用箱に複数個の前記容器を詰め込み、
ｂ）前記詰め込まれた包装用箱を小売店へ搬送する
ことを含むことを特徴とする方法。
【請求項６】
個人をリフレッシュさせる方法であって、
ａ）内部に複数個の清涼剤が収容されると共に鏡を備えた容器を前記個人に提供し、
ｂ）前記個人に清涼のために少なくとも１つの前記清涼剤を前記個人の口に投入させ、そして
ｃ）容姿を整える目的で前記個人に自分自身を前記鏡に写させること
を含むことを特徴とする方法。
【請求項７】
前記容姿を整える目的には、前記個人の顔を整える必要があるかどうかを決定することを含むことを特徴とする、請求項６に記載の方法。
【請求項８】
前記容姿を整える目的には、化粧品あるいは化粧道具で前記個人の顔を整えることを含むことを特徴とする、請求項６に記載の方法。
【請求項９】
経口製品用容器であって、
ａ）内部に収容された清涼用の複数個の清涼剤と、
ｂ）容姿を整えるための鏡と、
ｃ）下部の外部環境因子から前記鏡を保護する鏡カバーとを含み、
ｄ）前記鏡は、内部に収容された前記経口製品から離れるように前記容器の内部から隔離されている
ことを特徴とする経口製品用容器。
【請求項１０】
経口製品用容器であって、
ａ）容器本体と、
ｂ）前記容器本体に対して横方向にスライドする蓋と、
ｃ）前記横方向にスライドする蓋の下方に配置された鏡と
を備えていることを特徴とする経口製品用容器。
【請求項１１】
前記容器は、前記蓋を横方向に動作させることによって前記鏡及び経口製品取出開口部の双方を露出させるように構成されていることを特徴とする、請求項１０に記載の経口製品容器。
【請求項１２】
前記経口製品取出開口部は、前記鏡を備えた共通の壁に形成されていることを特徴とする、請求項１１に記載の経口製品用容器。
【請求項１３】
前記経口製品取出開口部は、前記鏡を備えた共通の壁に形成されていることを特徴とする、請求項１０に記載の経口製品用容器。
【請求項１４】
前記共通の壁は、前記蓋と実質的にほぼ平行な平面にあることを特徴とする、請求項１３に記載の経口製品用容器。
【請求項１５】
個人的なメークアップやメークオーバーのトリートメントを向上させるための方法であって、
ａ）内部に複数個のミントが収容されると共に、個人が個人的なメークアップやメークオーバーを行うことを可能にするように構成された鏡を備えた容器を提供すること、
ｂ）前記容器内の前記ミントを食べるように前記個人に勧めること、及び
ｃ）前記容器内の前記鏡を使ってメークアップやメークオーバーのトリートメントを行うように個人に勧めること
を含む方法。
【請求項１６】
更に、前記容器内の前記鏡を使用して個人的なメークアップやメークオーバーのトリートンメントを行いながら前記容器内のミントを食べるように個人に勧めることを含むことを特徴とする、請求項１５に記載の方法。
【請求項１７】
経口製品用容器であって、
ａ）清涼のための、内部に収容された複数個の清涼剤と、
ｂ）容姿を整えるための鏡と、
ｃ）前記鏡に対して動くように前記容器に取り付けられた、前記鏡を覆う蓋と
を備えていることを特徴とする経口製品用容器。
【請求項１８】
前記容器は、一度に複数個の清涼剤を取り出すように構成された取出開口部を備えていることを特徴とする、請求項１７に記載の容器。
【請求項１９】
前記容器は、前記清涼剤の大きさの約１０倍未満の面積を有するように構成された取出開口部を備えていることを特徴とする、請求項１７に記載の容器。
【請求項２０】
前記容器は、前記清涼剤の大きさの約５倍未満の面積を有するように構成された取出開口部を備えていることを特徴とする請求項１７に記載の容器。
【請求項２１】
前記鏡は、前記容器内のインサート上に支持されていることを特徴とする、請求項１７に記載の容器。
【請求項２２】
前記鏡は、前記容器の外壁ではない前記容器内の壁に支持されていることを特徴とする、請求項１７に記載の容器。
【請求項２３】
前記鏡は、前記容器内のインサートに支持されていることを特徴とする、請求項２２に記載の容器。
【請求項２４】
前記鏡は、前記蓋を閉じた状態において、前記蓋の下に位置するようになされていることを特徴とする、請求項２２に記載の容器。
【請求項２５】
前記蓋は、前記鏡及び取出開口部の双方を塞ぐ閉状態と、前記鏡及び前記取出開口部の双方を露出させる開状態との間で動くように構成されていることを特徴とする、請求項１７又は２４に記載の容器。
【請求項２６】
経口製品用容器であって、
ａ）内部に収容された清涼用の複数個の清涼剤と、
ｂ）容姿を整えるのための鏡と、
ｃ）閉じた状態で前記鏡を覆うと共に開いた状態で前記鏡を露出させるようになされた蓋と、
ｄ）前記容器に形成された製品取出開口部とを有し、
前記鏡は、前記製品取出開口部に対して相対移動しないように固定的に位置決めされている、
ことを特徴とする経口製品用容器。
【請求項２７】
経口製品用容器アセンブリであって、
ａ）内部に収容された清涼用の複数個の清涼剤と、
ｂ）容姿を整えるのための鏡と、
ｃ）閉じた状態で前記鏡を覆い、開いた状態で前記鏡を露出させるようになされた蓋と、
ｄ）前記容器が閉じた状態で前記容器内に鏡があることを消費者が連想しやすくするための鏡表示コンポーネントと、
を備えていることを特徴とする経口製品用容器アセンブリ。
【請求項２８】
前記鏡表示コンポーネントは、消費者が前記鏡の少なくとも一部分を視覚的に見ることができるよう貫通孔あるいは透明な窓を備えていることを特徴とする、請求項２７に記載の容器アセンブリ。
【請求項２９】
前記鏡表示コンポーネントは、前記容器の外面に位置するほぼ反射的なエレメントを含むことを特徴とする、請求項２７に記載の容器アセンブリ。
【請求項３０】
更に、前記反射的なエレメントに隣接配置され、前記容器内に鏡があることを示唆するしるしが前記容器上にあることを特徴とする、請求項２９に記載の容器アセンブリ。
【請求項３１】
前記鏡表示コンポーネントは、類似した鏡が露出した展開状態でサンプル容器が展示されるサンプルサポートを備えていることを特徴とする、請求項２７に記載の容器アセンブリ。
【請求項３２】
前記アセンブリは、複数の容器を保持するラックを備え、かつ前記サンプル容器が前記ラックに前記サンプルサポートを介して取り付けられている、請求項２７に記載の容器のアセンブリ。
【請求項３３】
前記サンプルサポートは、輸送の際に下方に旋回するように前記ラックに枢着されている、請求項３２に記載の容器アセンブリ。
【請求項３４】
経口製品用容器アセンブリであって、
ａ）内部に収容された清涼用の複数個の清涼剤と、
ｂ）容姿を整えるのための鏡と、
ｃ）閉じた状態で前記鏡を覆うと共に開いた状態で前記鏡を露出させるようになされた蓋とを備え、
ｄ）前記容器は、約3/8インチ（約０．９４センチ）ないし約５/８インチ（約１．５６センチ）の高さ、約１・1/8インチ（約２．８１センチ）ないし約１・1/2インチ（約３．７５センチ）の幅、及び約３インチ（約７．５センチ）ないし約３・1/4インチ（約８．１３センチ）の長さを含む寸法に相当するサイズを有する、ことを特徴とする経口製品用容器アセンブリ。
【請求項３５】
前記鏡は、約２・1/8インチ（約５．３１センチ）ないし約２・3/8インチ（約５．９４センチ）の幅、及び約7/8インチ（約２．１９センチ）ないし約１・1/8インチ（約２．８１センチ）の幅の寸法に相当するサイズを有することを特徴とする、請求項３４に記載の経口製品用容器アセンブリ。
【請求項３６】
経口製品用容器アセンブリであって、
ａ）内部に収容された清涼用の複数個の清涼剤と、
ｂ）容姿を整えるのための鏡と、
ｃ）閉じた状態で前記鏡を覆うと共に開いた状態で前記鏡を露出させるようになされた蓋とを備え、
ｄ）前記容器の高さは前記容器の幅の1/2未満であり、前記容器の幅は前記容器の長さの1/2未満であることを特徴とする、経口製品用容器アセンブリ。
【請求項３７】
前記経口製品用容器アセンブリは、図１０ないし図１８に示されたものに実質的に比例する高さ、幅、及び長さを有するように設定されていることを特徴とする、請求項３６に記載の経口製品用容器アセンブリ。
【請求項３８】
前記鏡は、反射フィルムからなりガラスを含まないものである、請求項１、６、９、１５、１７又は２７に記載の容器、方法またはアセンブリ。
【請求項３９】
前記反射フィルムは、反射プラスチックフィルムである、請求項３８に記載の容器、方法またはアセンブリ。
【請求項４０】
前記反射フィルムは、接着剤が裏面にある、請求項３９に記載の容器、方法またはアセンブリ。
【請求項４１】
前記反射フィルムは、前記接着剤を介して前記容器の外壁に付着されている、請求項４０に記載の容器、方法またはアセンブリ。
【請求項４２】
前記反射フィルムは、前記外壁の内側に付着されている、請求項４１に記載の容器、方法またはアセンブリ。
【請求項４３】
前記外壁は、金属製である、請求項４１に記載の容器、方法またはアセンブリ。
【請求項４４】
更に、前記清涼剤を保持するプラスチックインサートを備えた、請求項１、６、９、１５、１７又は２７に記載の容器、方法またはアセンブリ。
【請求項４５】
前記容器は、実質的に矩形状であり、前記インサートは実質的に矩形状であり実質的に前記容器の内側全体に亘るものである、請求項４４に記載の容器、方法またはアセンブリ。
【請求項４６】
前記容器は、金属製である、請求項４５に記載の容器、方法またはアセンブリ。
【請求項４７】
前記インサートは、前記清涼剤を前記容器内に保持し、かつ幾つかの清涼剤のみが前記容器から一度に取り出されるように前記清涼剤の取り出しを抑制する、請求項４４に記載の容器、方法またはアセンブリ。
【請求項４８】
前記容器は、一度に幾つかの清涼剤の取り出しを可能とするようになされたインサートを有する、請求項１７に記載の容器、方法またはアセンブリ。
【請求項４９】
前記インサートは、一度に幾つかの清涼剤の取り出しを可能とするようになされた少なくとも１つの取出開口部を有する、請求項４８に記載の容器、方法またはアセンブリ。
【請求項５０】
前記清涼剤は、形状が略筒状であり、白色である、請求項１、６、９、１５、１７又は２７に記載の容器、方法またはアセンブリ。
【請求項５１】
前記清涼剤は、高さが約2/8センチメートルないし6/8センチメートルである、請求項５０に記載の容器、方法またはアセンブリ。
【請求項５２】
前記清涼剤は、無糖である、請求項５０に記載の容器、方法またはアセンブリ。
【請求項５３】
経口製品用容器であって、
内部に収容された清涼用の複数個の清涼剤と、
前記容器に固定された、容姿を整えるのための鏡と、
前記清涼剤を前記容器内に保持し、かつ幾つかの清涼剤のみが前記容器から一度に取り出されるように前記清涼剤の取り出しを抑制するインサートと
を有し、
前記容器は、実質的に矩形であり、
前記インサートは、実質的に矩形であり、
前記インサートは、実質的に前記容器の内側全体に亘るものであり、
前記容器は、金属製であり、
前記鏡は、反射フィルムからなりガラスを含まないものであり、
前記反射フィルムは、反射プラスティックであり、
前記反射フィルムは、接着剤が裏面にあり、
前記清涼剤は、形状が略筒状であり、白色であり、無糖である。
【請求項５４】
内部に複数個の清涼剤を収納するようになされた清涼剤用容器であって、容姿を視認するための鏡を備えていることを特徴とする清涼剤用容器。
【請求項５５】
内部に複数個の清涼剤を収納するようになされた清涼剤用容器であって、    
容姿を視認するための鏡と、
下部の外部環境因子から前記鏡を保護する鏡カバーと
を含み、
前記鏡は、内部に収容された前記清涼剤から離れるように前記容器の内部から隔離されていることを特徴とする清涼剤用容器。
【請求項５６】
内部に複数個の清涼剤を収納するようになされた清涼剤用容器であって、
容器本体と、
前記容器本体に対して横方向にスライドする蓋と、
前記横方向にスライドする蓋の下方に配置された鏡と
を備えていることを特徴とする清涼剤用容器。
【請求項５７】
内部に複数個の清涼剤を収納するようになされた清涼剤用容器であって、
容姿を視認するための鏡と、
前記鏡に対して動くように前記容器に取り付けられた、前記鏡を覆う蓋と
を備えていることを特徴とする清涼剤用容器。
【請求項５８】
内部に複数個の清涼剤を収納するようになされた清涼剤用容器であって、
容姿を視認するための鏡と、
閉じた状態で前記鏡を覆うと共に開いた状態で前記鏡を露出させるようになされた蓋と、
前記容器に形成された製品取出開口部と
を有し、
前記鏡は、前記製品取出開口部に対して相対移動しないように固定的に位置決めされていることを特徴とする清涼剤用容器。
【請求項５９】
内部に複数個の清涼剤を収納するようになされた清涼剤用容器アセンブリであって、
容姿を視認するための鏡と、
閉じた状態で前記鏡を覆い、開いた状態で前記鏡を露出させるようになされた蓋と、
前記容器が閉じた状態で前記容器内に鏡があることを消費者が連想しやすくするための鏡表示コンポーネントと、
を備えていることを特徴とする清涼剤用容器アセンブリ。
【請求項６０】
内部に複数個の清涼剤を収納するようになされた清涼剤用容器アセンブリであって、
容姿を視認するための鏡と、
閉じた状態で前記鏡を覆うと共に開いた状態で前記鏡を露出させるようになされた蓋とを備え、
前記容器は、約3/8インチ（約０．９４センチ）ないし約５/８インチ（約１．５６センチ）の高さ、約１・1/8インチ（約２．８１センチ）ないし約１・1/2インチ（約３．７５センチ）の幅、及び約３インチ（約７．５センチ）ないし約３・1/4インチ（約８．１３センチ）の長さを含む寸法に相当するサイズを有することを特徴とする清涼剤用容器アセンブリ。
【請求項６１】
内部に複数個の清涼剤を収納するようになされた清涼剤用容器アセンブリであって、
容姿を視認するための鏡と、
閉じた状態で前記鏡を覆うと共に開いた状態で前記鏡を露出させるようになされた蓋とを備え、
前記容器の高さは前記容器の幅の1/2未満であり、前記容器の幅は前記容器の長さの1/2未満であることを特徴とする清涼剤用容器アセンブリ。
【請求項６２】
内部に複数個の清涼剤を収納するようになされた清涼剤用容器であって、
前記容器に固定された、容姿を視認するための鏡と、
前記清涼剤を前記容器内に保持し、かつ幾つかの清涼剤のみが前記容器から一度に取り出されるように前記清涼剤の取り出しを抑制するインサートと、
を有し、
前記容器は、実質的に矩形であり、
前記インサートは実質的に矩形であり、
前記インサートは、実質的に前記容器の内側全体に亘るものであり、
前記容器は、金属製であり、
前記鏡は、反射フィルムからなりガラスを含まないものであり、
前記反射フィルムは、反射プラスティックであり、
前記反射フィルムは、接着剤が裏面にあり、
前記清涼剤は、形状が略筒状であり、白色であり、無糖である、
ことを特徴とする清涼剤用容器。
【請求項６３】
内部に複数個の清涼剤を収納するようになされた清涼剤用容器であって、
容器本体部と、
前記容器本体部に対して開き状態と閉じ状態の間で転換自在に取り付けられた蓋部と、
鏡面部と
を有し、
前記蓋部を開き状態にしたときに、1又は複数個の前記清涼剤を取り出すことができるとともに、前記鏡面部が露出して該鏡面部をユーザが鏡として使用することができるようになされていることを特徴とする清涼剤用容器。
【国際調査報告】
2007508865.tif 000041